(57)【要約】      （修正有）【課題】プラント機器の手動操作における操作前条件不成立の要因を確認可能にしたプラント運転監視装置を得る。【解決手段】計算機２は、プラント機器を制御するプラント制御装置１の信号から、インターロック信号を抽出するインターロック信号抽出手段２２１と、このインターロック信号抽出手段２２１によって抽出されたインターロック信号がアクティブかどうかを判定するアクティブ信号判定手段２２２と、このアクティブ信号判定手段２２２によってアクティブと判定されたインターロック信号の一覧であるインターロック信号リストを運転操作画面に表示するリスト作成手段２２とを有し、インターロック信号リストの内のいずれかのインターロック信号が選択された場合に、選択されたインターロック信号の要因となっている信号の一覧であるパラメータリストを運転操作画面に表示する。【選択図】図１
2015001912.tif 000002
【特許請求の範囲】
【請求項１】
運転操作画面を用いて、プラント機器に対する操作を行うプラント運転監視装置であって、
上記プラント機器に対する操作が機能しない場合に、上記プラント機器を制御するプラント制御装置の信号から、上記操作を妨げる可能性のあるインターロック信号を抽出するインターロック信号抽出手段、
このインターロック信号抽出手段によって抽出された上記インターロック信号がアクティブかどうかを判定するアクティブ信号判定手段、
及びこのアクティブ信号判定手段によってアクティブと判定された上記インターロック信号の一覧であるインターロック信号リストを上記運転操作画面に表示するリスト作成手段を備え、
上記リスト作成手段は、上記インターロック信号リストの内のいずれかのインターロック信号が選択されることにより、当該選択されたインターロック信号の要因となっている信号の一覧であるパラメータリストを上記運転操作画面に表示することを特徴とするプラント運転監視装置。
【請求項２】
上記インターロック信号リストから選択された上記インターロック信号が含まれるロジック図を上記運転操作画面に表示するロジック図表示手段を備えたことを特徴とする請求項１記載のプラント運転監視装置。
【請求項３】
上記ロジック図における上記インターロック信号を強調表示する強調表示手段を備えたことを特徴とする請求項２記載のプラント運転監視装置。
【請求項４】
上記プラント制御装置の信号に対し、上記ロジック図に対応するロジック演算を実施し、演算結果を上記運転操作画面に表示する制御ロジックエミュレート手段を備えたことを特徴とする請求項２または請求項３記載のプラント運転監視装置。
【請求項５】
上記リスト作成手段は、上記パラメータリストの内のいずれかの信号が選択されることにより、当該選択された信号の要因となっている信号の一覧を上記運転操作画面に表示することを特徴とする請求項１〜請求項４のいずれか一項記載のプラント運転監視装置。
【発明の詳細な説明】
【技術分野】
【０００１】
この発明は、原子力発電プラントに適用されるプラント運転監視装置に関するものである。
【背景技術】
【０００２】
近年、プラントの運転操作には、ＣＲＴ表示装置に操作画面を表示し、その操作画面に対し入力装置で操作を指示するオペレーション装置が用いられている。このオペレーション装置は、ＣＲＴ表示装置にタッチスクリーン等の入力装置を設け、操作画面に触れることにより運転操作を行うようになっている。
このようなオペレーション装置にて、プラントの機器を手動操作（開／閉操作、起動／停止操作等）する際には、当該機器が操作可能であることを確認して操作を行うことが必要である。そこで、操作前条件の成立・不成立を画面に表示することで、操作可否を判断し、不可の場合は不具合部分を表示するようにしていた。（特許文献１参照）
【先行技術文献】
【特許文献】
【０００３】
【特許文献１】特開平１０−４９２２２号公報（第２〜３頁、第１図）
【発明の概要】
【発明が解決しようとする課題】
【０００４】
従来の機器操作前条件の不成立の確認では、直接機器の操作信号を妨げているパラメータの特定は可能であったものの、そのパラメータの要因の確認まではできなかったため、根本的な機器操作前条件の不成立要因の特定には至っていなかった。
【０００５】
この発明は、上述のような課題を解決するためになされたものであり、プラント機器の手動操作における操作前条件不成立の要因を確認可能にしたプラント運転監視装置を得ることを目的とする。
【課題を解決するための手段】
【０００６】
この発明に係わるプラント運転監視装置においては、運転操作画面を用いて、プラント機器に対する操作を行うプラント運転監視装置であって、プラント機器に対する操作が機能しない場合に、プラント機器を制御するプラント制御装置の信号から、操作を妨げる可能性のあるインターロック信号を抽出するインターロック信号抽出手段、このインターロック信号抽出手段によって抽出されたインターロック信号がアクティブかどうかを判定するアクティブ信号判定手段、及びこのアクティブ信号判定手段によってアクティブと判定されたインターロック信号の一覧であるインターロック信号リストを運転操作画面に表示するリスト作成手段を備え、リスト作成手段は、インターロック信号リストの内のいずれかのインターロック信号が選択されることにより、当該選択されたインターロック信号の要因となっている信号の一覧であるパラメータリストを運転操作画面に表示するものである。
【発明の効果】
【０００７】
この発明によれば、運転操作画面を用いて、プラント機器に対する操作を行うプラント運転監視装置であって、プラント機器に対する操作が機能しない場合に、プラント機器を制御するプラント制御装置の信号から、操作を妨げる可能性のあるインターロック信号を抽出するインターロック信号抽出手段、このインターロック信号抽出手段によって抽出さ
れたインターロック信号がアクティブかどうかを判定するアクティブ信号判定手段、及びこのアクティブ信号判定手段によってアクティブと判定されたインターロック信号の一覧であるインターロック信号リストを運転操作画面に表示するリスト作成手段を備え、リスト作成手段は、インターロック信号リストの内のいずれかのインターロック信号が選択されることにより、当該選択されたインターロック信号の要因となっている信号の一覧であるパラメータリストを運転操作画面に表示するので、操作を妨げている要因を確認することができる。
【図面の簡単な説明】
【０００８】
【図１】この発明の実施の形態１によるプラント運転監視装置を示すブロック図である。
【図２】この発明の実施の形態１によるプラント運転監視装置の動作を示すフローチャートである。
【図３】この発明の実施の形態１によるプラント運転監視装置のインターロック信号リストの画面表示例を示す図である。
【図４】この発明の実施の形態１によるプラント運転監視装置のパラメータリストの画面表示例を示す図である。
【図５】この発明の実施の形態２によるプラント運転監視装置を示すブロック図である。
【図６】この発明の実施の形態３によるプラント運転監視装置を示すブロック図である。
【図７】この発明の実施の形態４によるプラント運転監視装置を示すブロック図である。
【発明を実施するための形態】
【０００９】
実施の形態１．
図１は、この発明の実施の形態１によるプラント運転監視装置を示すブロック図である。
図１において、プラント制御装置１は、原子力プラントを制御する。計算機２は、プラント制御装置１に対する信号について処理を行う。表示装置３は、原子力プラント機器の運転操作のための画面を表示する。
プラント運転監視装置は、原子力プラント中央制御室に配置され、計算機２と表示装置３によって構成されている。
計算機２は、プラント制御装置１の信号が入力される入力手段２１と、後述するリスト作成手段２２を有する。
リスト作成手段２２は、プラントを構成する機器の手動操作における操作前条件不成立の要因となる信号をインターロック信号として抽出するインターロック信号抽出手段２２１と、インターロック信号の信号状態を判定するアクティブ信号判定手段２２２とを有し、後述するインターロック信号リスト４やパラメータリスト５を作成する。
【００１０】
図３は、この発明の実施の形態１によるプラント運転監視装置のインターロック信号リストの画面表示例を示す図である。
図３において、表示装置３の運転操作画面に表示されるインターロック信号リスト４の表示例である。機器名称エリア４１と、この機器名称エリア４１に表示された機器に対応して抽出された各インターロック信号の名称を示すパラメータ名称エリア４２と、パラメータ名称エリア４２に対応するように配置された要因表示エリア４３を有する。インターロック信号リスト４上で、要因表示エリア４３を選択すると、図４に示すパラメータリストの画面に遷移する。
【００１１】
図４は、この発明の実施の形態１によるプラント運転監視装置のパラメータリストの画面表示例を示す図である。
図４において、図３のインターロック信号リスト４上で、要因表示エリア４３を選択した際に表示されるパラメータリスト５であり、選択されたインターロック信号の要因となっているパラメータ（信号）の一覧を運転操作画面に表示する。
パラメータリスト５は、図３で選択されたパラメータの名称を表示する選択パラメータ名称エリア５１と、選択されたパラメータの要因となっている各パラメータを表示するパラメータ名称エリア５２と、このパラメータ名称エリア５２に対応して配置され、当該パラメータの要因となっているパラメータを表示するための要因表示エリア５３とを有する。
【００１２】
次に、実施の形態１の動作について、説明する。
表示装置３に表示された運転操作画面より、原子力プラント機器に対して起動・停止操作を行い、機器が起動・停止しなかった際、計算機２のリスト作成手段２２は、プラント制御装置１の信号の内の、機器の起動・停止操作を妨げる可能性のあるインターロック信号を、インターロック信号抽出手段２２１により、プラント制御装置１の信号の中から抽出し、さらに、この抽出されたインターロック信号の内、アクティブな状態となっているインターロック信号を、アクティブ信号判定手段２２２により抽出し、アクティブな状態となっているインターロック信号の一覧であるインターロック信号リスト４を、運転操作画面に表示する。
さらに、表示されたインターロック信号リスト４上の任意のインターロック信号を選択することにより、そのインターロック信号の要因となっているパラメータの一覧を運転操作画面に表示する。
【００１３】
次に、計算機２の動作について、図２を用いて説明する。
まず、ステップＳ１で、入力手段２１は、プラント制御装置１のＩＯ（入出力）データ（信号）の入力を行う。次に、ステップＳ２で、インターロック信号抽出手段２２１が、入力手段２１に入力された信号が操作前条件不成立要因に該当するインターロック信号か否かを判定する。
次に、ステップＳ３において、ステップＳ２でＹｅｓの場合に、アクティブ信号判定手段２２２が、そのインターロック信号のＯＮ／ＯＦＦ状態を判定する。ステップＳ３でＯＮ（アクティブ）と判定されたインターロック信号を、ステップＳ４でインターロック信号リスト４に表示する。
ステップＳ２で、Ｎｏの場合と、ステップＳ３でＯＦＦの場合は、処理を終了する。
【００１４】
図３に示すインターロック信号リスト４の表示画面で、要因表示エリア４３を選択すると、図４に示すパラメータリスト５の画面に遷移する。
図４のパラメータリスト５は、図３のインターロック信号リスト４上で選択されたパラメータの要因となっているパラメータの一覧を表示する。このパラメータリスト５では、選択されたパラメータの要因となっている各パラメータを表示するパラメータ名称エリア５２にそれぞれ対応して配置された要因表示エリア５３を選択することにより、当該パラメータの要因となっているパラメータを、さらにパラメータリスト５の形式で表示することができるようになっている。
【００１５】
実施の形態１によれば、インターロック信号の一覧が表示され、その一覧表示から要因となるパラメータを順次選択するように構成したので、機器の操作前条件不成立となっているパラメータから、さらにその要因となっているパラメータを追って確認可能となるため、操作前条件不成立の根本的な要因の特定が可能となる。
【００１６】
実施の形態２．
図５は、この発明の実施の形態２によるプラント運転監視装置を示すブロック図である。
図５において、１〜３、２１、２２、２２１、２２２は図１におけるものと同一のものである。図５では、計算機２に、プラント制御装置ロジックにインストールされたロジック図を格納したロジック図データベース２３１を有し、ロジック図を運転操作画面に表示するロジック図表示手段２３を設けている。
【００１７】
実施の形態２では、計算機２にロジック図表示手段２３を設けた。
ロジック図表示手段２３は、図３のインターロック信号リスト４の要因表示エリア４３または図４のパラメータリスト５の要因表示エリア５３を選択した場合に、当該パラメータを含むロジック図を、ロジック図データベース２３１を参照して運転操作画面上に表示する。
【００１８】
実施の形態２によれば、ロジック図表示手段を設けたので、インターロック信号リストの要因表示エリアまたはパラメータリストの要因表示エリアを選択した場合に、当該パラメータを含むロジック図を画面上に表示することができる。
【００１９】
実施の形態３．
図６は、この発明の実施の形態３によるプラント運転監視装置を示すブロック図である。
図６において、１〜３、２１、２２、２３、２２１、２２２、２３１は図５におけるものと同一のものである。図６では、ロジック図表示手段２３に、ロジック図上でインターロック信号を強調表示するインターロック信号強調手段２３２（強調表示手段）を設けている。
【００２０】
実施の形態３は、実施の形態２で説明したロジック図表示手段２３にインターロック信号強調手段２３２を設け、運転操作画面に表示されたロジック図上でインターロック信号を色付き、太線等で強調表示するようにした。
【００２１】
実施の形態３によれば、ロジック図上でインターロック信号を強調表示するので、インターロック信号の特定を容易にすることができる。
【００２２】
実施の形態４．
図７は、この発明の実施の形態４によるプラント運転監視装置を示すブロック図である。
図７において、１〜３、２１、２２、２３、２２１、２２２は図５におけるものと同一のものである。図７では、ロジック図表示手段２３に、制御ロジックをエミュレートする制御ロジックエミュレート手段２３３を設けている。
【００２３】
制御ロジックエミュレート手段２３３は、プラント制御装置１の各信号について、プラント制御装置ロジックにインストールされたロジック図と同様のロジック演算を実施し、プラントのロジックの状態を模擬し、表示装置３の運転操作画面に表示する。
【００２４】
実施の形態３によれば、制御ロジックエミュレート手段を設けたので、プラントのロジックの状態を模擬することができる。
【００２５】
なお、本発明は、その発明の範囲内において、各実施の形態を自由に組み合わせたり、各実施の形態を適宜、変形、省略することが可能である。
【符号の説明】
【００２６】
１  プラント制御装置、２  計算機、２１  入力手段、２２  リスト作成手段、
２２１  インターロック信号抽出手段、２２２  アクティブ信号判定手段、
２３  ロジック図表示手段、２３１  ロジック図データベース、
２３２  インターロック信号強調手段、２３３  制御ロジックエミュレート手段、
３  表示装置、４  インターロック信号リスト、４１  機器名称エリア、
４２  パラメータ名称エリア、４３  要因表示エリア、５  パラメータリスト、
５１  選択パラメータ名称エリア、５２  パラメータ名称エリア、５３  要因表示エリア。
【図１】
2015001912.tif 000003
【図２】
2015001912.tif 000004
【図３】
2015001912.tif 000005
【図４】
2015001912.tif 000006
【図５】
2015001912.tif 000007
【図６】
2015001912.tif 000008
【図７】
2015001912.tif 000009